(57)【要約】【課題】  変更されたＩＰアドレスを忘れた場合でも、設定を初期状態に戻すリセット操作することなくアクセスしてインターホン機器の設定変更を可能とする。【解決手段】 インターホン子機１及びインターホン親機２は、通信ネットワークＮ接続後に変更したＩＰアドレス及びパスワードに加えて、工場出荷時に設定された最初のＩＰアドレスとパスワードを記憶する子機設定情報記憶部１５、親機設定情報記憶部２６を有し、ＩＰアドレス変更後であっても、所定の操作により記憶されている最初のＩＰアドレスとパスワードを有効とする特別設定モードに一定時間だけ移行する。【選択図】  図１
2015070383.tif 000002
【特許請求の範囲】
【請求項１】
居住者を呼び出して通話するためのインターホン子機と、前記インターホン子機からの呼び出しに応答するためのインターホン親機とが通信ネットワークを介して接続されたインターホンシステムにおいて、
前記インターホン子機及びインターホン親機は、初期設定されたＩＰアドレスとパスワードとを有すると共に、前記通信ネットワークを介して接続された外部機器によりＩＰアドレス及びパスワードが変更可能であって、
前記インターホン子機及びインターホン親機のうち少なくとも一方のインターホン機器は、変更後のＩＰアドレス及びパスワードに加えて、初期設定されたＩＰアドレス及びパスワードを記憶する設定情報記憶部、及びＩＰアドレス変更後であっても前記インターホン機器の操作部の所定の操作で前記設定情報記憶部に記憶された初期設定されたＩＰアドレスとパスワードを有効とする特別設定モードに一定時間だけ移行するモード移行制御部を有することを特徴とするインターホンシステム。
【請求項２】
前記特別設定モードに移行したインターホン機器に、直接或いは前記通信ネットワークを介して接続された設定変更手段から初期設定時のＩＰアドレス及びパスワードによるアクセスが発生したら、
前記モード移行制御部は、前記設定変更手段のアクセスが終了するまで前記特別設定モードを維持することを特徴とする請求項１記載のインターホンシステム。
【請求項３】
前記特別設定モードに移行した前記インターホン機器は、前記設定変更手段からの要求に応じて変更後のＩＰアドレス及びパスワードを前記設定変更手段に通知する通知制御部を有することを特徴とする請求項２記載のインターホンシステム。
【発明の詳細な説明】
【技術分野】
【０００１】
本発明はインターホンシステムに関し、特に機器同士が通信ネットワークを介して接続されたインターホンシステムに関する。
【背景技術】
【０００２】
インターホンを構成する機器間が通信ネットワークを介して接続されたシステムがある。このようなインターホンシステムの場合、それぞれを認識するために、ＩＰアドレスが個々の機器に設定されている（例えば、特許文献１参照）。
このＩＰアドレスは、機器が工場から出荷される際にまず設定されるが、接続した通信ネットワーク上にＤＨＣＰサーバがある場合は、このＤＨＣＰサーバにより新たに振り分けられたＩＰアドレスに変更されて設定される（例えば、特許文献２参照）。
【先行技術文献】
【特許文献】
【０００３】
【特許文献１】特開２０１３−０４６２３３号公報
【特許文献２】特開２００６−２６１８６４号公報（段落０００２−０００８）
【発明の概要】
【発明が解決しようとする課題】
【０００４】
上述したように、ＩＰアドレスは変更可能であるため、通信ネットワークを介して新たな機器を接続しようとした場合、変更後のＩＰアドレスを忘れてしまうとアクセスすることができなかった。また、パーソナルコンピュータ等を使用してインターホン機器の設定変更を行おうとしても、やはりアクセスできない事態が発生した。
このような事態が発生した場合、従来は設定内容をオールリセットするＤＩＰスイッチが設けられ、ＩＰアドレスもリセットして工場出荷時のＩＰアドレスを使用可能とすることで、新たな機器の接続や機器の設定変更操作を可能とした。但し、この場合、全てがリセットされるため、各種設定をし直さなければ成らなかった。
【０００５】
そこで、本発明はこのような問題点に鑑み、変更されたＩＰアドレスを忘れた場合でも、全ての設定を初期状態に戻すリセット操作を行うことなくアクセスを可能とし、インターホン機器の設定変更を実施できるインターホンシステムを提供することを目的としている。
【課題を解決するための手段】
【０００６】
上記課題を解決する為に、請求項１の発明は、居住者を呼び出して通話するためのインターホン子機と、インターホン子機からの呼び出しに応答するためのインターホン親機とが通信ネットワークを介して接続されたインターホンシステムにおいて、インターホン子機及びインターホン親機は、初期設定されたＩＰアドレスとパスワードとを有すると共に、通信ネットワークを介して接続された外部機器によりＩＰアドレス及びパスワードが変更可能であって、インターホン子機及びインターホン親機のうち少なくとも一方のインターホン機器は、変更後のＩＰアドレス及びパスワードに加えて、初期設定されたＩＰアドレス及びパスワードを記憶する設定情報記憶部、及びＩＰアドレス変更後であってもインターホン機器の操作部の所定の操作で設定情報記憶部に記憶された初期設定されたＩＰアドレスとパスワードを有効とする特別設定モードに一定時間だけ移行するモード移行制御部を有することを特徴とする。
この構成によれば、インターホン機器の設定内容を変更する場合、アクセスするためにはＩＰアドレスやパスワードの入力を必要とするが、忘れてしまっても所定の操作により一時的にＩＰアドレス及びパスワードを既知の初期設定値に戻すことができる。よって、全ての設定をリセットすること無く、既知の初期設定されたＩＰアドレス及びパスワードを使用してインターホン機器にアクセスして設定変更等を行うことができ利便性が良い。
【０００７】
請求項２の発明は、請求項１に記載の構成において、特別設定モードに移行したインターホン機器に、直接或いは通信ネットワークを介して接続された設定変更手段から初期設定時のＩＰアドレス及びパスワードによるアクセスが発生したら、モード移行制御部は、設定変更手段のアクセスが終了するまで特別設定モードを維持することを特徴とする。
この構成によれば、設定操作中は一定時間が経過しても特別設定モードは解除されないため、時間を気にすること無く設定変更操作ができる。
【０００８】
請求項３の発明は、請求項２に記載の構成において、特別設定モードに移行したインターホン機器は、設定変更手段からの要求に応じて変更後のＩＰアドレス及びパスワードを設定変更手段に通知する通知制御部を有することを特徴とする。
この構成によれば、例えばＤＨＣＰサーバにより設定されたＩＰアドレスを忘れても、特別設定モードに移行させればＩＰアドレスに加えてパスワードも入手できるため、忘れたからといって新たなパスワード等を設定する必要がない。
【発明の効果】
【０００９】
本発明によれば、インターホン機器の設定内容を変更する場合、ＩＰアドレスやパスワードの入力を必要とするが、忘れてしまっても所定の操作により一時的にＩＰアドレス及びパスワードを既知の初期設定値に戻すことができる。よって、全ての設定をリセットすること無く、既知の初期設定されたＩＰアドレス及びパスワードを使用してインターホン機器の設定変更等を行うことができ利便性が良い。
【図面の簡単な説明】
【００１０】
【図１】本発明に係るインターホンシステムの一例を示し、インターホン子機及びインターホン親機を回路ブロック図で示した構成図である。
【発明を実施するための形態】
【００１１】
以下、本発明を具体化した実施の形態を、図面を参照して詳細に説明する。図１は本発明に係るインターホンシステムの一例を示す構成図であり、インターホン子機及びインターホン親機を回路ブロック図で示している。図１において、１はインターホン子機（以下、単に「子機」と称する。）、２はインターホン親機（以下、単に「親機」と称する。）、３は各種設定を行うパーソナルコンピュータから成る設定用端末である。各機器はインターネット等の通信ネットワークＮを介して接続されている。
【００１２】
子機１には、来訪者を撮像するためのカメラ１１、呼出ボタン１２、通話するためのマイク１３とスピーカ１４、ＩＰアドレス等の設定情報を記憶する子機設定情報記憶部１５、子機１を制御する子機ＣＰＵ１６、通信ネットワークＮに接続して親機２と通信する子機通信ＩＦ１７等が備えられている。
【００１３】
親機２には、液晶ディスプレイから成る表示部２１、各種操作を行うための操作部としてのタッチパネル２２、呼び出しに応答するための通話ボタン２３、通話するためのマイク２４及びスピーカ２５、ＩＰアドレス等の設定情報を記憶する親機設定情報記憶部２６、親機２を制御する親機ＣＰＵ２７、通信ネットワークＮを介して子機１と通信する親機通信ＩＦ２８等が設けられている。  
【００１４】
上記の如く構成されたインターホンシステムの動作は以下の様である。但し、呼び出し、通話については従来と同等であるため説明を省略し、ここでは機器の設定変更操作を説明する。
子機１及び親機２は、ＩＰアドレスとパスワードが出荷時に設定されて子機設定情報記憶部１５、或いは親機設定情報記憶部２６に記憶されている。ここでは、例えば子機のＩＰアドレスが「１９２．１６８．０．２０１」に設定され、パスワードが「ｐａｓｓ」と設定され、子機設定情報記憶部１５に記憶されているとして説明する。以下、親機２も同様であるため、代表して子機２の設定変更操作を説明する。
【００１５】
子機１を初めて通信ネットワークＮに接続すると、子機ＣＰＵ１６はＤＨＣＰサーバを探しに行き、外部機器であるＤＨＣＰサーバ（図示せず）を認識したら、新たなＩＰアドレス例えば「１７２．１６．４７．１９１」をＤＨＣＰサーバから入手して、ＩＰアドレスを「１７２．１６．４７．１９１」に変更する。但し、初期設定時のＩＰアドレスは消去されること無く記憶されている。
新たなＩＰアドレスを入手した後は、親機２あるいは設定用端末３からこのＩＰアドレス「１７２．１６．４７．１９１」を指定することで子機１にアクセスすることができ、パスワードを変更することができる。ここでは、例えば「ＰＡＳＵ」に変更したとし以下説明する。
【００１６】
この変更されたＩＰアドレス及びパスワードを指定すれば、設定用端末３からでも、親機２からでも、子機１の設定変更を容易に実施できる。
尚、子機１の設定変更操作としては、例えば親機２を追加した場合の設定変更があるし、親機２の設定変更操作としては、例えば呼出音の変更や子機の追加操作等がある。
【００１７】
このように設定される子機１のＩＰアドレスがわからなくなってしまった場合でも、次のような操作でアクセスできる。
呼出ボタン１２が３秒以上長押しされると、子機ＣＰＵ１６は特別設定モード移行操作がなされたと判断し、子機設定情報記憶部１５に記憶されている初期設定時のＩＰアドレス「１９２．１６８．０．２０１」とパスワード「ｐａｓｓ」を有効とする特別設定モードに移行する。この特別設定モード状態では、通信ネットワークＮへの接続により新たに設定されたＩＰアドレス、及び後から設定されたパスワードは無効となる。
【００１８】
特別設定モードは、一定時間（例えば１分間）継続し、その間「１９２．１６８．０．２０１」に対するアクセスが親機２や設定用端末３からなければ、特別設定モードは解除され、変更後のＩＰアドレス「１７２．１６．４７．１９１」、パスワード「ＰＡＳＵ」に戻る。
尚、親機２を特別設定モードに移行させる場合は、例えばタッチパネル２２を操作して所定の操作画面を表示させて移行させれば良い。
【００１９】
特別設定モード移行中に、例えば親機２からＩＰアドレス「１９２．１６８．０．２０１」に対して接続要求があり、パスワード「ｐａｓｓ」により接続が成功すると、即ち子機１へのアクセスが成功すると、子機１の各種設定変更を親機２から行うことができる。また、このとき親機２から実際のＩＰアドレス及びパスワードの確認要求があると、子機ＣＰＵ１６は、本来設定されているＩＰアドレス「１７２．１６．４７．１９１」、パスワード「ＰＡＳＵ」を親機２に通知する。
また子機ＣＰＵ１６は、親機２のアクセスが継続中で設定変更等実施中であれば、タイムアウト時間である１分間を超えても特別設定モード状態を継続し、アクセスが終了した段階で、ＩＰアドレス及びパスワードを本来設定されている変更後のものに移行させる。
【００２０】
こうして、変更後のＩＰアドレス等は、特別設定モード移行中に入手できるため、その後は、本来設定されているＩＰアドレス等を使用して各種設定や設定変更を実施できる。
尚、特別設定モード移行中に、例えば親機２からＩＰアドレス「１7２．１６．４７．１９１」に対して接続要求があったとしても、上述した通りＩＰアドレスが一時的に初期設定状態に変更されているため、子機１にアクセスできない。
【００２１】
このように、インターホン機器の設定内容を変更する場合、ＩＰアドレスやパスワードの入力を必要とするが、忘れてしまっても所定の操作により一時的にＩＰアドレス及びパスワードを既知の初期設定値に戻すことができる。よって、全ての設定をリセットすること無く、既知の初期設定されたＩＰアドレス及びパスワードを使用してインターホン機器の設定変更等を行うことができ利便性が良い。
また、設定操作中は一定時間が経過しても特別設定モードは解除されないため、時間を気にすること無く設定変更操作ができる。
また、例えばＤＨＣＰサーバにより設定されたＩＰアドレスを忘れても、特別設定モードに移行させればＩＰアドレスに加えてパスワードも入手して認識できるため、忘れたからといって、新たなパスワード等を設定する必要がない。
更に、特別設定モードで一定時間アクセスが成されなければ、変更後のＩＰアドレス、パスワードに戻るため、初期設定時のＩＰアドレス、パスワードを知っている第三者にハッキングされ難くなる。
【００２２】
尚、上記実施形態では、子機１の設定変更操作を親機２により行う場合を説明したが、設定用端末３からでも初期設定されたＩＰアドレス及びパスワードを使用することで実施できるのは言うまでもない。但し、親機２を設定変更する場合は、子機１には呼出ボタン１２以外に操作部が無いため、設定変更は設定用端末３又は図示しない他の親機により実施されることになる。
また、子機１を特別設定モードに移行させる操作を呼出ボタン１２の長押しとしたが、子機１にテンキー等の操作部がある場合は、それらのキーの特定の操作で移行可能としても良い。
【符号の説明】
【００２３】
１・・インターホン子機、２・・インターホン親機（設定変更手段）、３・・設定用端末（設定変更手段）、１２・・呼出ボタン、１５・・子機設定情報記憶部、１６・・子機ＣＰＵ（モード移行制御部、通知制御部）、２６・・親機設定情報記憶部、２７・・親機ＣＰＵ（モード移行制御部、通知制御部）、Ｎ・・通信ネットワーク。
【図１】
2015070383.tif 000003